(57)【特許請求の範囲】
【請求項１】
梁型枠の両側のスラブ型枠間に渡し筋を支持し、その渡し筋上に下端筋をスターラップに挿通した状態で載置するとともに、該下端筋上に掛止部材とその上方に上端筋を前記スターラップに挿通した状態で重ねて載置し、しかる後、前記梁型枠を跨ぐように立設した梁鉄筋昇降装置により前記掛止部材を介して初め上端筋とスターラップを上昇し、途中で前記渡し筋を抜いて更に上昇して下端筋をスターラップの下辺部で支持することにより、梁鉄筋を構成する前記各部材を吊上げた状態において、それら部材を所定の位置に配置し、前記上端筋及び下端筋をスターラップに結束するとともに、必要に応じて腹筋等を設置して梁鉄筋を組立てた上、その梁鉄筋を前記梁鉄筋昇降装置により下降して前記梁型枠内の所定位置に設置することを特徴とする梁鉄筋の組立て設置方法。
【請求項２】
前記梁鉄筋昇降装置を構成する横架部材に揺動レバー式のチェーンブロックを回転可能に支持し、前記揺動レバーを操作し易い方向に回転して揺動操作するようにしたことを特徴とする請求項１記載の梁鉄筋の組立て設置方法。
【発明の詳細な説明】
【０００１】
【発明の属する技術分野】
本発明は、建設現場にて梁鉄筋を組立てて梁型枠内に設置する梁鉄筋の組立て設置方法に関する。
【０００２】
【従来の技術】
従来、ビル建設等における梁鉄筋の設置作業においては、その建設現場の所定位置に組付けられた目的の梁型枠の上方などに支持しながら梁鉄筋を組立て、その組立てた梁鉄筋の適数箇所を梁型枠の両側に立設される支柱とそれらの支柱間に架設された横架部材と該横架部材の略中央部に付設された吊り下げ機構から構成される門型の梁鉄筋降下装置等を用いて吊り上げ、前記梁型枠内の所定位置に下降することにより梁鉄筋を所定位置に設置するという施工方法が広く知られている。
【０００３】
しかしながら、この梁鉄筋に関する従来の設置方法では、組立て後の梁鉄筋を梁型枠内の所定位置に下降するための門型の梁鉄筋降下装置などのほかに、梁鉄筋の組立て時に上端筋や下端筋あるいはスターラップなどの梁鉄筋を構成する各部材を支持するための別の支持手段が必要とされた。
【０００４】
【発明が解決しようとする課題】
本発明は、以上のような従来の技術的事情に鑑みて開発したもので、その目的とするところは、梁鉄筋の組立て設置作業において使用する支持手段の必要数を削減した簡便な梁鉄筋の組立て設置方法を提供する点にある。
【０００５】
【課題を解決するための手段】
前記課題を解決するため、本発明では、梁型枠の両側のスラブ型枠間に渡し筋を支持し、その渡し筋上に下端筋をスターラップに挿通した状態で載置するとともに、該下端筋上に掛止部材とその上方に上端筋を前記スターラップに挿通した状態で重ねて載置し、しかる後、前記梁型枠を跨ぐように立設した梁鉄筋昇降装置により前記掛止部材を介して初め上端筋とスターラップを上昇し、途中で前記渡し筋を抜いて更に上昇して下端筋をスターラップの下辺部で支持することにより、梁鉄筋を構成する前記各部材を吊上げた状態において、それら部材を所定の位置に配置し、前記上端筋及び下端筋をスターラップに結束するとともに、必要に応じて腹筋等を設置して梁鉄筋を組立てた上、その梁鉄筋を前記梁鉄筋昇降装置により下降して前記梁型枠内の所定位置に設置するという技術手段を採用した。さらに、前記梁鉄筋昇降装置を構成する横架部材に揺動レバー式のチェーンブロックを回転可能に支持し、前記揺動レバーを操作し易い方向に回転して揺動操作するようにすれば、作業性の向上に有効である。
【０００６】
【発明の実施の形態】
図１〜図５は本発明における作業工程の手順を例示した概略説明図である。図１は梁鉄筋の組立て開始前の状態を示したもので、図中１は梁型枠、２はスラブ型枠である。梁鉄筋の組立てに当っては、先ず図２に示したように、梁型枠１の両側のスラブ型枠２の端部間に複数の渡し筋３を間隔をあけて支持し、それらの渡し筋３を介してその上にスターラップ４に挿通した状態で重ねて載置した下端筋５、掛止部材６、及び上端筋７を前記スターラップ４と共に支持する。すなわち、梁型枠１の両側のスラブ型枠２の端部間に支持した渡し筋３を介してスターラップ４に挿通した下端筋５、掛止部材６、及び上端筋７を下から順に載置した状態に支持することにより梁鉄筋を構成する各部材を支持する。
【０００７】
しかる後、図３に示した工程に進み、図示のように支柱８，９と、その間に架設された横架部材１０と、該横架部材１０の略中央部に付設されたチェーンブロックを用いた吊り下げ機構１１から構成される梁鉄筋昇降装置１２を梁型枠１を跨ぐように立設し、チェーン１３の下端部を適宜の連結手段で前記掛止部材６に結合して、揺動レバー１４を上下に揺動しながらチェーン１３を巻上げることにより梁鉄筋を構成する前記各部材を吊上げることになる。この場合、初め掛止部材６を介して上端筋７とスターラップ４を上昇し、下端筋５がスターラップ４の下辺部に接近した時点で前記渡し筋３を抜き、更に上昇して図４の工程に移行する。
【０００８】
図４に示した工程においては、図示のように掛止部材６を介して下端筋５、掛止部材６、上端筋７やスターラップ４等の各部材を吊上げ、その吊上げ状態において、それらの部材を所定の位置に配置した後、前記上端筋７及び下端筋５をスターラップ４に結束し、更に必要に応じて腹筋１５を通して巾止筋１６を用いて所定位置に結束することにより、梁鉄筋１７を組立て形成する。
【０００９】
以上の工程により梁鉄筋１７の組立てが完了した場合には図５の工程に移行し、図示のように吊り下げ機構１１によって梁鉄筋１７を下降させて梁型枠１内の所定位置に設置することにより、梁鉄筋の組立てと所定位置への設置作業が終了することになる。なお、図中１８はスペーサであり、図４の工程あたりで予め前記スターラップ４の下部に装着しておいてもよい。
【００１０】
なお、以上の形態例においては、前記吊り下げ機構１１として揺動レバー式、すなわち揺動レバー１４をその自由端部を上下に揺動することによりチェーン１３を介して組立て中あるいは組立て後の梁鉄筋を昇降するチェーンブロックを採用したが、このチェーンブロックを前記横架部材１０に対して回転可能に支持すれば、前述の組立て設置作業において、必要に応じて揺動レバー１４を操作し易い方向に回転し、身を乗出すことなくその場において揺動レバー１４を上下に揺動し得るので使い勝手がきわめてよい。また、前記支柱８，９の下部にはＬ形鋼などからなるベース体が付設されており、図面において紙面に直角方向の傾斜が抑制され、梁鉄筋昇降装置１２が自立し得るように構成されている。また、前記横架部材１０の両端部には連結管１９，２０を設け、支柱８，９に外嵌して高さ調整可能に構成している。
【００１１】
【発明の効果】
本発明によれば、梁型枠の内部空間を利用して、その内部空間内に梁鉄筋を構成する各部材を前記渡し筋及び掛止部材を用いて支持した上、それらの各部材を前記掛止部材を介して梁鉄筋昇降装置により吊上げて梁鉄筋の組立てを完成させ、しかる後その組立てられた梁鉄筋を前記梁鉄筋昇降装置により下降して梁型枠内の所定位置に設置するという方法を採用したので、前記梁鉄筋昇降装置のほかに従来必要とされた別の支持手段を省略することができ、梁鉄筋の組立て設置作業において必要とされる支持手段の使用数を削減した簡便な梁鉄筋の組立て設置方法を提供することができる。さらに、梁鉄筋の吊り下げ機構として揺動レバー式のチェーンブロックを採用し、前記横架部材に対して回転可能に支持するように構成すれば、揺動レバーを操作し易い方向に回転して上下に揺動操作するだけで組立て中あるいは組立て後の梁鉄筋の吊上げが可能なことから作業性の向上に有効である。
【図面の簡単な説明】
【図１】  本発明における作業工程の手順を例示した概略説明図である。
【図２】  同作業工程の手順を例示した概略説明図である。
【図３】  同作業工程の手順を例示した概略説明図である。
【図４】  同作業工程の手順を例示した概略説明図である。
【図５】  同作業工程の手順を例示した概略説明図である。
【符号の説明】
１…梁型枠、２…スラブ型枠、３…渡し筋、４…スターラップ、５…下端筋、６…掛止部材、７…上端筋、８，９…支柱、１０…横架部材、１１…吊り下げ機構、１２…梁鉄筋昇降装置、１３…チェーン、１４…揺動レバー、１５…腹筋、１６…巾止筋、１７…梁鉄筋、１８…スペーサ、１９，２０…連結管
【図１】
0003763897.tif 000002
【図２】
0003763897.tif 000003
【図３】
0003763897.tif 000004
【図４】
0003763897.tif 000005
【図５】
0003763897.tif 000006